(57)【要約】【課題】巻線機の構造部分を簡略化し、主巻線巻装体と補助巻線巻装体の組み合わせ時に渡り線の処理の簡略化を図ることのできるコンデンサ電動機の固定子およびその製造方法を提供することを目的とする。【解決手段】固定子鉄芯の分割鉄芯体７に装着する絶縁物８Ａ、８Ｂの一部が周方向に大きく延長された延出部８Ａ−１、８Ｂ−１を有し、この延出部８Ａ−１、８Ｂ−１に主巻線１０または補助巻線１２の渡り線９Ａまたは９Ｂを保持する保持機構８Ａ−２または８Ｂ−２を設けた構成とする。【選択図】図１
2005051998.tif 000002
【特許請求の範囲】
【請求項１】
外周に円弧面を有した継鉄部と内面側に回転子対向面を有した歯部とが一体で、スロット数と同数に分割してなる分割鉄芯板を所定枚数積層固着して分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子において、前記分割鉄芯体に装着した絶縁物の一部が周方向で相隣接する各分割鉄芯体方向で時計方向及び反時計方向に大きく延長された延出部を有し、この延出部に主巻線または補助巻線の渡り線を保持する保持機構を設けたコンデンサ電動機の固定子。
【請求項２】
外周に円弧面を有した継鉄部と内面側に回転子対向面を有した歯部とが一体で、スロット数と同数に分割してなる分割鉄芯板を所定枚数積層固着して分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子において、前記分割鉄芯体に装着した絶縁物の内径側立上げ部の一部が、周方向で相隣接する各分割鉄芯体方向で時計方向及び反時計方向の両方向に大きく延長された延出部を有し、前記相隣接する主巻線巻装体の絶縁物の延出部は隣接する補助巻線巻装体の絶縁物の内径側立上げ部の外径側に位置するように装着されるとともに、前記相隣接する補助巻線巻装体の絶縁物の延出部は隣接する主巻線巻装体の絶縁物の内径側立上げ部の外径側に位置するように装着された構成のコンデンサ電動機の固定子。
【請求項３】
主巻線巻装用の分割鉄芯体に装着する絶縁物の延出部は分割鉄芯体の反負荷側かまたは負荷側の主渡り線側にのみ設けられ、補助巻線巻装用の分割鉄芯体に装着する絶縁物の延出部は前記分割鉄芯体の負荷側かまたは反負荷側で主渡り線側の反対側の補助渡り線側にのみ設けられた請求項１、請求項２記載のコンデンサ電動機の固定子。
【請求項４】
主渡り線側に設けられた絶縁物の延出部には主巻線の渡り線のみが保持または収納され、補助渡り線側に設けられた絶縁物の延出部には補助巻線の渡り線のみが保持または収納された請求項１、請求項２記載のコンデンサ電動機の固定子。
【請求項５】
主巻線または補助巻線の渡り線が複数本のとき、各々の渡り線が電気的に分離されて保持または収納された請求項３、請求項４記載のコンデンサ電動機の固定子。
【請求項６】
外周に円弧面を有した継鉄部と内面側に回転子対向面を有した歯部とが一体で、スロット数と同数に分割してなる分割鉄芯板を所定枚数積層固着して分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子の製造方法において、前記分割鉄芯体に装着した絶縁物の一部が周方向で相隣接する各分割鉄芯体方向で時計方向及び反時計方向に大きく
延長された延出部を有し、この延出部に設けた保持機構に主巻線または補助巻線の渡り線を保持しながら巻線巻装するコンデンサ電動機の固定子の製造方法。
【請求項７】
主巻線巻装用の分割鉄芯体に装着する絶縁物の延出部は分割鉄芯体の反負荷側かまたは負荷側の主渡り線側にのみ設けられ、補助巻線巻装用の分割鉄芯体に装着する絶縁物の延出部は前記分割鉄芯体の負荷側かまたは反負荷側で主渡り線側の反対側の補助渡り線側にのみ設ける方式の請求項６記載のコンデンサ電動機の固定子の製造方法。
【請求項８】
主渡り線側に設けられた絶縁物の延出部には主巻線の渡り線のみが保持または収納され、補助渡り線側に設けられた絶縁物の延出部には補助巻線の渡り線のみが保持または収納する方式の請求項６記載のコンデンサ電動機の固定子の製造方法。
【請求項９】
主巻線または補助巻線の渡り線が複数本のとき、各々の渡り線が電気的に分離されて保持または収納する方式の請求項７、請求項８記載のコンデンサ電動機の固定子の製造方法。
【発明の詳細な説明】
【技術分野】
【０００１】
本発明は継鉄部と歯部とを連結し、スロット数と同数に分割した分割鉄芯板を用いたコンデンサ電動機の固定子およびその製造方法に関する。
【背景技術】
【０００２】
近年、複数に分割した分割鉄芯板に巻線を施工し分割鉄芯板を環状に配列してなる固定子とその製造方法が知られている（例えば、特許文献１参照）。
【０００３】
以下、その構成と製造方法について図１３〜図１５を参照しながら説明する。
【０００４】
図１３、図１４および図１５に示すように、主巻線１０１は環状に保持された極数個の分割鉄芯体１０２の各々に絶縁物１０３を装着後に主渡り線側の渡り線１０４Ａを介して連続的に巻回されて主巻線巻装体１０５が形成され、同様に補助巻線１０６も環状に保持された極数個の分割鉄芯体１０２の各々に絶縁物１０３を装着後に補助渡り線側の渡り線１０４Ｂを介して連続的に巻回されて補助巻線巻装体１０７が形成され、前記主巻線巻装体１０５と補助巻線巻装体１０６を軸方向に移動させ組立し固定子１０８を構成していた。
【特許文献１】特開２０００−２５３６０３号公報
【発明の開示】
【発明が解決しようとする課題】
【０００５】
このような従来の固定子１０８における巻線巻装方法および構成では、装着した絶縁物１０３に渡り線１０４Ａ、１０４Ｂには保持部分がないため、渡り線１０４Ａ，１０４Ｂの保持は巻線機の構造部分にその機能を持たせる必要があり、巻線機の構造が複雑になるという課題があった。また、主巻線巻装体１０５と補助巻線巻装体１０７を軸方向に組み合わせて一体化するとき、前記渡り線１０４Ａ、１０４Ｂの保持、緩み防止および長さ管理などの処理が複雑になるという課題があった。
【０００６】
本発明は上記課題を解決するもので、巻線機の構造部分を簡略化し、主巻線巻装体と補助巻線巻装体の組み合わせ時に渡り線の処理の簡略化を図ることのできるコンデンサ電動機の固定子およびその製造方法を提供することを目的とする。
【課題を解決するための手段】
【０００７】
本発明のコンデンサ電動機の固定子においては、外周に円弧面を有した継鉄部と内面側に回転子対向面を有した歯部とからなる分割鉄芯板を所定枚数積層固着してスロット数と同数に分割してなる分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子において、前記分割鉄芯体に装着する絶縁物の一部が周方向で相隣接する各分割鉄芯体方向で時計方向及び反時計方向に大きく延長された延出部を有し、この延出部に主巻線又は補助巻線の渡り線を保持する保持機構を設けた構成としたものである。
【０００８】
この手段により、分割鉄芯体に主巻線および補助巻線を直巻巻装する巻線機の構造部分を簡略化し、主巻線巻装体と補助巻線巻装体の組み合わせ時に渡り線の処理の簡略化を図
ることのできるコンデンサ電動機の固定子が得られる。
【０００９】
また、本発明のコンデンサ電動機の固定子の製造方法においては、外周に円弧面を有した継鉄部と内面側に回転子対向面を有した歯部とが一体で、スロット数と同数に分割してなる分割鉄芯板を所定枚数積層固着して分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子の製造方法において、前記分割鉄芯体に装着した絶縁物の一部が周方向で相隣接する各分割鉄芯体方向で時計方向及び反時計方向に大きく延長された延出部を有し、この延出部に設けた保持機構に主巻線または補助巻線の渡り線を保持しながら巻線巻装するコンデンサ電動機の固定子の製造方法としたものである。
【００１０】
これにより、分割鉄芯体に主巻線および補助巻線を直巻巻装する巻線機の構造部分を簡略化し、主巻線巻装体と補助巻線巻装体の組み合わせ時に渡り線の処理の簡略化を図ることのできるコンデンサ電動機の固定子の製造方法が得られる。
【発明の効果】
【００１１】
本発明によれば、外周に円弧面を有した継鉄部と内面側に回転子対向面を有した歯部とからなる分割鉄芯板を所定枚数積層固着してスロット数と同数に分割してなる分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子において、前記分割鉄芯体に装着する絶縁物の一部が周方向で相隣接する各分割鉄芯体方向で時計方向及び反時計方向に大きく延長された延出部を有し、この延出部に主巻線又は補助巻線の渡り線を保持する保持機構を設けたことにより、分割鉄芯体に主巻線および補助巻線を巻装する巻線機の構造部分に前記渡り線を保持するための機構を設ける必要が無く、構造の簡略化が可能となり、また、このことにより巻線機のコスト合理化ができることになり、また主巻線巻装体と補助巻線巻装体の組み合わせ時に、渡り線を巻線機に設けた保持機構から固定子の保持機構へ移動させる必要が無く渡り線の処理の簡略化を図ることができるコンデンサ電動機の固定子およびその製造方法を提供できる。
【００１２】
また、主巻線巻装体群と補助巻線巻装体群を組合せるとき、分割鉄芯体に装着した絶縁物の一部が周方向で相隣接する各分割鉄芯体方向で時計方向及び反時計方向に大きく延長された延出部が組み合せ作業の障害にならない構造を提供することができる。
【００１３】
また、主巻線巻装用の分割鉄芯体に装着する絶縁物の延出部は補助渡り線側にのみ設けられ、補助巻線巻装用の分割鉄芯体に装着する絶縁物の延出部は主渡り線側にのみ設けたことにより、前記延出部が組み合わせ作業の障害とはならない構造およびその製造方法を提供することができる。
【００１４】
また、主渡り線側に設けられた絶縁物の延出部には主巻線の渡り線のみが保持または収納され、補助渡り線側に設けられた絶縁物の延出部には補助巻線の渡り線のみが保持または収納されたことにより、主巻線と補助巻線の渡り線が接触し電気的な不具合などを防止することが可能となる。
【００１５】
また、主巻線または補助巻線の渡り線が複数本のとき、各々の渡り線が電気的に分離されて保持または収納されたことにより、巻線皮膜の損傷などに起因する不具合を防止することができる。
【発明を実施するための最良の形態】
【００１６】
本発明の請求項１に記載の発明は、外周に円弧面を有した継鉄部と内面側に回転子対向面を有した歯部とからなる分割鉄芯板を所定枚数積層固着してスロット数と同数に分割してなる分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子において、前記分割鉄芯体に装着する絶縁物の一部が周方向で相隣接する各分割鉄芯体方向で時計方向及び反時計方向に大きく延長された延出部を有し、この延出部に主巻線又は補助巻線の渡り線を保持する保持機構を設けた構成としたものであり、分割鉄芯体に主巻線および補助巻線を直巻巻装する巻線機の構造部分を簡略化し、主巻線巻装体と補助巻線巻装体の組み合わせ時に渡り線の処理の簡略化を図ることができるという作用を有する。
【００１７】
また、外周に円弧面を有した継鉄部と内面側に回転子対向面を有した歯部とが一体で、スロット数と同数に分割してなる分割鉄芯板を所定枚数積層固着して分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子において、前記分割鉄芯体に装着した絶縁物の内径側立上げ部の一部が、周方向で相隣接する各分割鉄芯体方向で時計方向及び反時計方向の両方向に大きく延長された延出部を有し、前記相隣接する主巻線巻装体の絶縁物の延出部は隣接する補助巻線巻装体の絶縁物の内径側立上げ部の外径側に位置するように装着されるとともに、前記相隣接する補助巻線巻装体の絶縁物の延出部は隣接する主巻線巻装体の絶縁物の内径側立上げ部の外径側に位置するように装着された構成としたものであり、主巻線巻装体の絶縁物の周方向延出部および補助巻線巻装体の絶縁物の周方向延出部が、主巻線巻装体群と補助巻線巻装体群との組み合せ時に作業の障害になることを防止する作用を有する。
【００１８】
また、主巻線巻装用の分割鉄芯体に装着する絶縁物の延出部は分割鉄芯体の反負荷側かまたは負荷側の主渡り線側にのみ設けられ、補助巻線巻装用の分割鉄芯体に装着する絶縁物の延出部は前記分割鉄芯体の負荷側かまたは反負荷側で主渡り線側の反対側の補助渡り線側にのみ設けた構成であり、前記主巻線巻装体の延出部と主渡り線側の渡り線、および補助巻線巻装体の延出部と補助渡り線側の渡り線が組み合わせ作業の障害にはならないという作用を有する。
【００１９】
また、主渡り線側に設けられた絶縁物の延出部には主巻線の渡り線のみが保持または収納され、補助渡り線側に設けられた絶縁物の延出部には補助巻線の渡り線のみが保持または収納された構成であり、主巻線の渡り線と補助巻線の渡り線が接触することが無く、電気的な不具合の発生を防止する作用を有する。
【００２０】
また、主巻線または補助巻線の渡り線が複数本のとき、各々の渡り線が電気的に分離さ
れて保持または収納された構成であり、複数の渡り線は各々相互に接触することなく空間的に分離されて保持され、巻線皮膜の損傷などによる不具合の発生を防止することができる作用を有する。
【００２１】
また、外周に円弧面を有した継鉄部と内面側に回転子対向面を有した歯部とが一体で、スロット数と同数に分割してなる分割鉄芯板を所定枚数積層固着して分割鉄芯体を形成し、前記分割鉄芯体に絶縁物を装着した上に集中巻で渡り線を介し主巻線を極数個連続的に直巻巻装した主巻線巻装体と、前記分割鉄芯体に絶縁物を装着した上に集中巻で渡り線を介して極数個連続的に直巻巻装した補助巻線巻装体とよりなり、前記極数個の主巻線巻装体を環状に配列した主巻線巻装体配列群と、前記極数個の補助巻線巻装体を環状に配列した補助巻線巻装体配列群とを、前記主巻線巻装体と補助巻線巻装体が交互に環状に配列されるように組み合わせ固着一体化してなる固定子の製造方法において、前記分割鉄芯体に装着した絶縁物の一部が周方向で相隣接する各分割鉄芯体方向で時計方向及び反時計方向に大きく延長された延出部を有し、この延出部に設けた保持機構に主巻線または補助巻線の渡り線を保持しながら巻線巻装する製造方法としたものであり、分割鉄芯体に主巻線および補助巻線を直巻巻装する巻線機の構造部分を簡略化し、主巻線巻装体と補助巻線巻装体の組み合わせ時に渡り線の処理の簡略化を図ることができる。
【００２２】
以下、本発明の実施の形態について図１〜図１２を参照しながら説明する。
【００２３】
（実施の形態１）
図１〜図１０に示すように、外周に円弧面１を形成した継鉄部２と内周に回転子対向面３を有した歯部４とからなる分割鉄芯板５を所定枚数積層してスロット６の数と同数に分割してなる分割鉄芯体７と、この分割鉄芯体７に絶縁物８Ａを装着し、巻線機（図示せず）により集中巻で渡り線９Ａを介して極数個連続的に主巻線１０を直巻巻装し形成した主巻線巻装体１１と、主巻線巻装体１１とは別に分割鉄芯体７に絶縁物８Ｂを装着し、巻線機により集中巻で前記主巻線巻装体１１を設けた側とは分割鉄芯体７を挟み軸方向の相反する側に配した渡り線９Ｂを介して極数個連続的に補助巻線１２を直巻巻装し形成した補助巻線巻装体１３とからなり、これらの主巻線巻装体１１および補助巻線巻装体１３を各々環状に配列した主巻線巻装体配列群１１Ｇおよび補助巻線巻装体配列群１３Ｇは主巻線巻装体１１の渡り線９Ａを設けない側と環状に配列した補助巻線巻装体１３の渡り線９Ｂを設けない側とを対向させて軸方向に組み合わされており、前記主巻線巻装体１１と補助巻線巻装体１３が交互に環状に配列し一体化して固着されることにより固定子１４が構成されることとなる。
【００２４】
また、図１１に示すように、主巻線巻装体１１の渡り線９Ａ（図示せず）を有する主渡り線側１５と補助巻線巻装体１３の渡り線９Ｂを有する補助渡り線側１６を固定子１４の軸方向の相反する側に配置する。
【００２５】
そして、主巻線１０は環状または直線状等に配列された極数個の分割鉄芯体７に装着された絶縁物８Ａを介して直巻巻装されているとともに、この絶縁物８Ａには補助渡り線側１６で固定子１４の周方向の相隣接する各分割鉄芯体７方向で時計方向および反時計方向に各々大きく延出した延出部８Ａ−１を有し、延出部８Ａ−１に設けた保持機構８Ａ−２により補助巻線１２の渡り線９Ｂが保持されており、同様に補助巻線１２は環状または直線状等に配列された極数個の分割鉄芯体７に装着された絶縁物８Ｂを介して直巻巻装されているとともに、この絶縁物８Ｂには主渡り線側１５で固定子１４の周方向の相隣接する各分割鉄芯体７方向で時計方向および反時計方向に各々大きく延出した延出部８Ｂ−１を有し、延出部８Ｂ−１に設けた保持機構８Ｂ−２により主巻線１０の渡り線９Ａが保持され、主巻線１０の渡り線９Ａと補助巻線１２の渡り線９Ｂはともに、絶縁性の構造部分により機械的に固定されて構成される。
【００２６】
また、主巻線１０巻装用の分割鉄芯体７に装着する絶縁物８Ａの延出部８Ａ−１は補助渡り線側１６にのみ設けられ、補助巻線１２巻装用の分割鉄芯体７に装着する絶縁物８Ｂの延出部８Ｂ−１は主渡り線側１５にのみ設けられて構成される。
【００２７】
また、主渡り線側１５に設けられた絶縁物８Ｂの延出部８Ｂ−１には主巻線１０の渡り線９Ａのみが保持または収納され、補助渡り線側１６に設けられた絶縁物８Ａの延出部８Ａ−１には補助巻線１２の渡り線９Ｂのみが保持または収納されており、主巻線１０の渡り線９Ａと補助巻線１２の渡り線９Ｂは電気的に分離されて構成される。
【００２８】
また、図１２に示すように、主巻線１０または補助巻線１２の渡り線９Ａ、９Ｂが複数本のとき、複数の渡り線９Ａ−１、９Ａ−２および９Ｂ−１、９Ｂ−２の各々が電気的に分離されて保持または収納されており、渡り線９Ａ、９Ｂは各々すべて空間的に分離されて配置して構成される。
【００２９】
このように本発明の実施の形態１のコンデンサ電動機の固定子によれば、主巻線１０の渡り線９Ａが補助巻線巻装体１３の絶縁物８Ｂの延出部８Ｂ−１に設けた保持機構８Ｂ−２により保持され、補助巻線１２の渡り線９Ｂが主巻線巻装体１１の絶縁物８Ａの延出部８Ａ−１に設けた保持機構８Ａ−２により保持されて機械的に固定されているため、主巻線１０及び補助巻線１２を直巻巻装する巻線機側に前記渡り線９Ａ、９Ｂを保持するための構造部分を設ける必要が無く、また主巻線巻装体１１と補助巻線巻装体１３の組み合わせ時において渡り線９Ａ、９Ｂに負荷がかかることを少なくすることが可能になる。
【００３０】
また、分割鉄芯体７に装着した絶縁物８Ａ、８Ｂの一部であり、周方向で相隣接する各分割鉄芯体７方向で時計方向及び反時計方向に大きく延長された延出部８Ａ−１，８Ｂ−１が組み合せ作業の障害にならない構造を提供することとなる。
【００３１】
また、主巻線巻装体１１の絶縁物８Ａの延出部８Ａ−１は補助渡り線側１６にのみ設けられ、補助巻線巻装体１３の絶縁物８Ｂの延出部８Ｂ−１は分割鉄芯体７を挟んで補助渡り線側１６の反対側の主渡り線側１５にのみ設けられているため、主巻線巻装体群１１Ｇと補助巻線巻装体群１３Ｇの組み合わせ時に、前記延出部８Ａ−１と渡り線９Ａ、および延出部８Ｂ−１と渡り線９Ｂが組み合わせ作業の障害にならない構造を提供することとなる。
【００３２】
また、主巻線１０の渡り線９Ａは補助巻線巻装体１３の絶縁物８Ｂの延出部８Ｂ−１のみで保持され、補助巻線１２の渡り線９Ｂは主巻線巻装体１１の延出部８Ａ−１のみで保持されているため、主巻線１０の渡り線９Ａと補助巻線１２の渡り線９Ｂが接触することが無く、電気的な不具合の発生を防止することができる。
【００３３】
また、速度調整用の巻線を有する場合など、渡り線９Ａまたは渡り線９Ｂが補助渡り線側又は主渡り線側で複数本有るとき、複数の渡り線（９Ａ−１と９Ａ−２および９Ｂ−１と９Ｂ−２）は各々相互に接触することなく空間的に分離されて保持されるため、巻線皮膜の損傷などによる不具合の発生を防止することができる。
【図面の簡単な説明】
【００３４】
【図１】本発明の実施の形態１のコンデンサ電動機固定子の絶縁物を装着した分割鉄芯体の斜視図
【図２】同コンデンサ電動機の固定子の巻線の回路図
【図３】同コンデンサ電動機の固定子の分割鉄芯板の斜視図
【図４】同コンデンサ電動機の固定子の分割鉄芯体の斜視図
【図５】同コンデンサ電動機の固定子鉄芯の分割状態を示す正面図
【図６】同コンデンサ電動機の固定子の正面図
【図７】同コンデンサ電動機の固定子の主巻線巻装体を示す拡大斜視図
【図８】同コンデンサ電動機の固定子の補助巻線巻装体を示す拡大斜視図
【図９】同コンデンサ電動機の固定子の主巻線巻装体群の正面図
【図１０】同コンデンサ電動機の固定子の補助巻線巻装体群の正面図
【図１１】同コンデンサ電動機の固定子の側面から見た断面図
【図１２】同コンデンサ電動機の固定子の複数の渡り線を有する主巻線巻装体（または補助巻線巻装体）の斜視図
【図１３】従来のコンデンサ電動機の固定子の主巻線巻装体の正面図
【図１４】同コンデンサ電動機の固定子の補助巻線巻装体の正面図
【図１５】同コンデンサ電動機の固定子の正面図
【符号の説明】
【００３５】
１      円弧面
２   継鉄部
３   回転子対向面
４     歯部
５   分割鉄芯板
６     スロット
７      分割鉄芯体
８Ａ、８Ｂ  絶縁物
８Ａ−１、８Ｂ−１  延出部
８Ａ−２、８Ｂ−２  保持機構
９Ａ，９Ｂ  渡り線
９Ａ−１、９Ａ−２、９Ｂ−１、９Ｂ−２  渡り線
１０    主巻線
１１    主巻線巻装体
１１Ｇ  主巻線巻装体群
１２    補助巻線
１３    補助巻線巻装体
１３Ｇ  補助巻線巻装体群
１４    固定子
１５    主渡り線側
１６    補助渡り線側
【図１】
2005051998.tif 000003
【図２】
2005051998.tif 000004
【図３】
2005051998.tif 000005
【図４】
2005051998.tif 000006
【図５】
2005051998.tif 000007
【図６】
2005051998.tif 000008
【図７】
2005051998.tif 000009
【図８】
2005051998.tif 000010
【図９】
2005051998.tif 000011
【図１０】
2005051998.tif 000012
【図１１】
2005051998.tif 000013
【図１２】
2005051998.tif 000014
【図１３】
2005051998.tif 000015
【図１４】
2005051998.tif 000016
【図１５】
2005051998.tif 000017